(57)【要約】【課題】表示装置の製造コストを低減する。【解決手段】表示装置１は、導光ブロック部２と導光ブロック支持部４４と液晶表示ユニット３と表示ユニット支持部とを備えている。導光ブロック部２は、屋外４２に配置される外光導入窓１４が形成されている。導光ブロック支持部４４は、導光ブロック部２の一部が半屋外４３に配置されるように、屋外４２と半屋外４３とを隔てる屋根４１に導光ブロック部２を支持している。液晶表示ユニット３は、外光導入窓１４に入射した外光が導光ブロック部２を介して供給されることにより、画面を表示する。表示ユニット支持部は、液晶表示ユニット３が半屋外４３に配置されるように、導光ブロック部２に液晶表示ユニット３を支持している。【選択図】図９
2018054808.tif 000002
【特許請求の範囲】
【請求項１】
第１領域に配置される導入窓が形成される導光ブロック部と、
前記導光ブロック部の一部が第２領域に配置されるように、前記第１領域と前記第２領域とを隔てる仕切り部に前記導光ブロック部を支持する第１支持部と、
前記導入窓に入射した外光が前記導光ブロック部を介して供給されることにより、画面を表示する表示ユニットと、
前記表示ユニットが前記第２領域に配置されるように、前記導光ブロック部に前記表示ユニットを支持する第２支持部
とを備える表示装置。
【請求項２】
前記導光ブロック部は、前記第２領域に配置される他の導入窓が形成され、前記他の導入窓に入射された光をさらに前記表示ユニットに導く
請求項１に記載の表示装置。
【請求項３】
前記第２領域を照明する照明灯と、
前記照明灯を前記導光ブロック部に支持する第３支持部をさらに備え、
前記照明灯は、前記照明灯が発する光の一部が前記他の導入窓に入射するように、配置される
請求項２に記載の表示装置。
【請求項４】
前記照明灯は、前記導光ブロック部のうちの前記画面が表示している方向の反対側に配置される
請求項３に記載の表示装置。
【請求項５】
前記外光が前記導入窓に入射されるように、前記外光を反射させる反射材
をさらに備える請求項１〜請求項４のいずれか一項に記載の表示装置。
【請求項６】
請求項１〜請求項５のいずれか一項に記載の表示装置を設置する表示装置設置方法であり、
前記仕切り部に貫通孔を形成すること、
前記導光ブロック部が前記貫通孔に挿入された状態で、前記第１支持部を用いて前記導光ブロック部を前記仕切り部に固定すること
とを備える表示装置設置方法。
【発明の詳細な説明】
【技術分野】
【０００１】
本開示の技術は、表示装置および表示装置設置方法に関する。
【背景技術】
【０００２】
液晶パネルを背面から照らすことにより画面を表示する液晶表示装置が知られている。このような液晶表示装置は、液晶パネルの背面から照らすバックライトが設けられたり、周辺の光を液晶パネルの背面に導光する導光手段が設けられたりしている（特許文献１〜３参照）。
【先行技術文献】
【特許文献】
【０００３】
【特許文献１】特開２０１２−１９０６３８号公報
【特許文献２】特開２０１５−１６１９０２号公報
【特許文献３】特開平１０−２６８２９７号公報
【発明の概要】
【発明が解決しようとする課題】
【０００４】
このような液晶表示装置は、駅のホームに例示される半屋外に設置される場合で、外光が明るいときに、画面が見えにくくなることがある。このような液晶表示装置は、液晶パネルを背面から照らすバックライトの出力を上げることにより、画面を見やすくすることができる。このような表示装置は、バックライトの出力を上げたときに、消費電力が上昇し、バックライトの発熱量が上昇する。このような表示装置は、バックライトの発熱を排熱する排熱手段を設けたときに、さらに、大型化する。このように、液晶表示装置は、液晶パネルを背面から照らす光の輝度を大きくするときに、部品点数が増加したり、大型化したりして、製造コストが増加するという問題点がある。
【０００５】
開示の技術は、かかる点に鑑みてなされたものであって、製造コストを低減する表示装置および表示装置設置方法を提供することを目的とする。
【課題を解決するための手段】
【０００６】
開示の態様では、表示装置は、導光ブロック部と第１支持部と表示ユニットと第２支持部とを備えている。導光ブロック部は、第１領域に配置される採光窓が形成されている。第１支持部は、前記導光ブロック部の一部が第２領域に配置されるように、前記第１領域と前記第２領域とを隔てる仕切り部に前記導光ブロック部を支持している。表示ユニットは、前記採光窓に入射した外光が前記導光ブロック部を介して供給されることにより、画面を表示する。第２支持部は、前記表示ユニットが前記第２領域に配置されるように、前記導光ブロック部に前記表示ユニットを支持する。
【発明の効果】
【０００７】
開示の表示装置および表示装置設置方法は、製造コストを低減することができる。
【図面の簡単な説明】
【０００８】
【図１】図１は、実施例１の表示装置を示す斜視図である。
【図２】図２は、実施例１の表示装置を示す他の斜視図である。
【図３】図３は、実施例１の表示装置を示す分解斜視図である。
【図４】図４は、実施例１の表示装置を示す他の分解斜視図である。
【図５】図５は、導光ブロック部を示す断面図である。
【図６】図６は、液晶表示ユニットを示す断面図である。
【図７】図７は、実施例１の表示装置が設置された状態を示す斜視図である。
【図８】図８は、実施例１の表示装置が設置された状態を示す他の斜視図である。
【図９】図９は、実施例１の表示装置が設置された状態を示すさらに他の斜視図である。
【図１０】図１０は、比較例の表示装置が設置された状態を示す斜視図である。
【図１１】図１１は、比較例の表示装置が設置された状態を示す他の斜視図である。
【図１２】図１２は、比較例の表示装置が設置された状態を示すさらに他の斜視図である。
【図１３】図１３は、実施例２の表示装置が設置された状態を示す斜視図である。
【図１４】図１４は、実施例２の表示装置が設置された状態を示す他の斜視図である。
【図１５】図１５は、実施例３の表示装置が設置された状態を示す斜視図である。
【発明を実施するための形態】
【０００９】
以下に、本願が開示する実施形態にかかる表示装置について、図面を参照して説明する。なお、以下の記載により本開示の技術が限定されるものではない。また、以下の記載においては、同一の構成要素に同一の符号を付与し、重複する説明を省略する。
【００１０】
［実施例１］
図１は、実施例１の表示装置を示す斜視図である。実施例１の表示装置１は、図１に示されているように、導光ブロック部２と液晶表示ユニット３とを備えている。導光ブロック部２は、長手方向５に長い概ね長方形の板状に形成されている。導光ブロック部２は、長手方向５が鉛直方向に平行になるように配置されている。導光ブロック部２は、外殻６を備えている。
【００１１】
液晶表示ユニット３は、概ね長方形の板状に形成され、その長方形の長い方の長辺の長さが、導光ブロック部２の長手方向５に垂直である短辺の長さに概ね等しくなるように形成されている。液晶表示ユニット３は、筐体７を備えている。液晶表示ユニット３は、一方の面に表示面８が形成されている。表示面８は、筐体７に形成される開口部に形成されている。液晶表示ユニット３は、表示面８が形成される面の裏側の面が導光ブロック部２の前面１１に対向するように、かつ、液晶表示ユニット３の１つの長辺が導光ブロック部２の１つの短辺に沿うように、導光ブロック部２の前面１１の下部に配置されている。
【００１２】
図２は、実施例１の表示装置を示す他の斜視図である。導光ブロック部２は、図２に示されているように、外光導入窓１４が形成されている。外光導入窓１４は、概ね長方形に形成され、液晶表示ユニット３が配置されている前面１１の裏側の背面１２の上部に形成されている。外光導入窓１４は、外殻６に形成される開口部から形成されている。
【００１３】
図３は、実施例１の表示装置を示す分解斜視図である。導光ブロック部２は、図３に示されているように、前面１１に出射窓１５が形成されている。出射窓１５は、前面１１のうちの液晶表示ユニット３に覆われる領域に形成され、外殻６に形成される開口部から形成されている。
【００１４】
表示装置１は、さらに、表示ユニット支持部１６を備えている。表示ユニット支持部１６は、フックから形成され、導光ブロック部２の出射窓１５の縁に固定されている。表示ユニット支持部１６は、液晶表示ユニット３の筐体７を引っ掛かけることにより、液晶表示ユニット３が出射窓１５を覆うように、液晶表示ユニット３を導光ブロック部２に固定している。なお、表示ユニット支持部１６は、ボルトナットに例示される締結ジグをさらに備えてもよい。その締結ジグは、締結されることにより液晶表示ユニット３の筐体７を導光ブロック部２の表示ユニット支持部１６に固定する。
【００１５】
図４は、実施例１の表示装置を示す他の分解斜視図である。液晶表示ユニット３は、図４に示されているように、採光窓１７が形成されている。採光窓１７は、表示面８が形成されている面の裏側の面に形成され、筐体７に形成される開口部に形成されている。
【００１６】
図５は、導光ブロック部を示す断面図である。導光ブロック部２は、図５に示されているように、さらに、第１導光ブロック２１と第２導光ブロック２２と反射板２３とを備えている。第１導光ブロック２１は、可視光に関して透明である材料から形成されている。その材料としては、強化ガラス、アクリルなどが例示される。第１導光ブロック２１は、底面が台形である四角柱に概ね形成されている。第１導光ブロック２１は、その四角柱が有する２つの側面が前面１１と背面１２とにそれぞれ沿うように、外殻６の内部に配置されている。その２つの側面の各々は、その台形が有する２つの底辺のいずれかを一辺とする側面である。第１導光ブロック２１は、さらに、その四角柱の他の１つの側面が外光導入窓１４に沿うように、外殻６の内部に配置されている。外光導入窓１４に沿う側面は、その台形の４辺のうちの底辺でない辺を一辺とする側面である。
【００１７】
第１導光ブロック２１は、さらに、下方に向いている残りの側面に、導光ブロック境界面２４が形成されている。導光ブロック境界面２４は、四角柱の側面のうちの前面１１に沿う側面に垂直であり、かつ、背面１２に沿う側面に垂直である側面から形成されている。導光ブロック境界面２４は、複数の微細な凹凸が形成されている。導光ブロック境界面２４は、第１導光ブロック２１の内部から導光ブロック境界面２４を介して出射する光を散乱させる。
【００１８】
第２導光ブロック２２は、第１導光ブロック２１と同様にして、可視光に関して透明である材料から形成されている。第２導光ブロック２２は、底面が直角三角形である三角柱に形成されている。第２導光ブロック２２は、その三角柱の側面のうちの１つの側面が第１導光ブロック２１の導光ブロック境界面２４に密着するように、外殻６の内部のうちの第１導光ブロック２１の下部に配置されている。その側面は、その直角三角形の斜辺でない辺を一辺とする側面である。第２導光ブロック２２は、さらに、その三角柱の側面のうちの他の１つの側面が出射窓１５に沿うように、外殻６の内部に配置されている。その側面は、その直角三角形の斜辺でない辺を一辺とする側面である。
【００１９】
反射板２３は、板状に形成され、可視光を反射する反射面が一方の面に形成されている。反射板２３は、その反射面が第２導光ブロック２２の側面に沿うように、配置されている。その側面は、その直角三角形の斜辺を一辺とする側面である。反射板２３は、反射面に複数の微細な凹凸が形成されている。反射板２３は、反射面に複数の微細な凹凸が形成されていることにより、反射面を反射する光を散乱させる。
【００２０】
導光ブロック部２は、外光導入窓１４に光が入射すると、外光導入窓１４から入射した光を第１導光ブロック２１の内部に導く。第１導光ブロック２１は、内部に入射した光を第１導光ブロック２１の内部と外部との界面で全反射させることにより、導光ブロック境界面２４に導く。第１導光ブロック２１は、導光ブロック境界面２４に導かれた光を、導光ブロック境界面２４に形成された複数の微細な凹凸により乱反射させ、第２導光ブロック２２の内部に入射させる。第２導光ブロック２２は、内部に入射した光を反射板２３に入射させる。反射板２３は、入射された光を、反射面に形成された複数の微細な凹凸により乱反射させ、第２導光ブロック２２の内部に再度入射させる。第２導光ブロック２２は、反射板２３を反射した光を、出射窓１５に沿う面を介して内部から外部に出射させ、出射窓１５から出射させる。すなわち、導光ブロック部２は、外光導入窓１４から入射した光を、出射窓１５から出射させることにより、液晶表示ユニット３の採光窓１７に入射させる。
【００２１】
図６は、液晶表示ユニットを示す断面図である。液晶表示ユニット３は、図６に示されているように、導光板３１と偏光板３２とアレイ基板３３と液晶パネル３４とカラーフィルター基板３５と偏光板３６とを備えている。導光板３１と偏光板３２とアレイ基板３３と液晶パネル３４とカラーフィルター基板３５と偏光板３６とは、それぞれ、板状に形成され、積層されるように筐体７の内部に配置されている。
【００２２】
導光板３１は、アクリルに例示される可視光に関して透明である材料から形成されている。導光板３１は、表面に特殊な加工が施され、液晶表示ユニット３の採光窓１７から入射した光を散乱させることにより、偏光板３２を均一に照らすように、その散乱された光を偏光板３２に照射する。偏光板３２は、導光板３１により照射された光のうちの特定の方向の振幅成分を有する偏光をアレイ基板３３に照射する。アレイ基板３３は、表示面８に表示される画面を形成する複数の画素に対応する複数の電極対を備えている。液晶パネル３４は、複数の画素に対応する複数の領域にそれぞれ配置される液晶を２枚の配向膜の間に封入している。複数の領域のうちのある画素に対応する領域に配置される液晶は、複数の電極対のうちのその画素に対応する電極対に印加される電圧に応じた角度だけねじれた方向の振幅成分を有する偏光をカラーフィルター基板３５に照射する。カラーフィルター基板３５は、複数の画素に対応する複数のカラーフィルターを備えている。複数のカラーフィルターは、複数の赤フィルターと複数の緑フィルターと複数の青フィルターとを含んでいる。その複数の赤フィルターは、赤色の光を透過する。その複数の緑フィルターは、緑色の光を透過する。その複数の青フィルターは、青色の光を透過する。複数のカラーフィルターのうちのある画素に対応するカラーフィルターは、複数の領域のうちのある画素に対応する領域の液晶から照射された偏光を透過する。偏光板３６は、カラーフィルター基板３５を透過した偏光のうちの特定の方向の振幅成分を有する偏光を透過させる。
【００２３】
表示装置１は、図示されていない制御装置をさらに備えている。制御装置は、アレイ基板３３の複数の電極対にそれぞれ所定の電圧を印加することにより、複数の画素に所定の色が着色された所定の画面を表示面８に表示する。
【００２４】
図７は、実施例１の表示装置が設置された状態を示す斜視図である。表示装置１は、図７に示されているように、屋根４１に設置される。屋根４１は、屋外４２と半屋外４３とを隔て、屋外４２から半屋外４３に侵入する日光、雨、雪の一部を遮ることに利用される。屋根４１は、図示されていない貫通孔が形成されている。表示装置１は、液晶表示ユニット３が半屋外４３に配置されるように、外光導入窓１４が屋外４２に配置されるように、その貫通孔に導光ブロック部２が挿入されている。
【００２５】
図８は、実施例１の表示装置が設置された状態を示す他の斜視図である。図９は、実施例１の表示装置が設置された状態を示すさらに他の斜視図である。表示装置１は、図８に示されているように、さらに、導光ブロック支持部４４を備えている。導光ブロック支持部４４は、導光ブロック部２から突出する突起に形成され、その貫通孔に導光ブロック部２が挿入されている状態で、屋根４１に引っ掛かることにより、導光ブロック部２を屋根４１に固定している。なお、導光ブロック支持部４４は、ボルトナットに例示される締結ジグに置換されてもよい。その締結ジグは、締結されることにより導光ブロック部２の外殻６を屋根４１に固定する。
【００２６】
［表示装置の動作］
表示装置１は、導光ブロック部２の外光導入窓１４が屋外４２に配置されていることにより、外光導入窓１４から外光が取り入れられる。外光導入窓１４から取り入れられた外光は、導光ブロック部２の第１導光ブロック２１と第２導光ブロック２２と反射板２３とにより、導光ブロック部２の出射窓１５に導かれ、出射窓１５から出射する。導光ブロック部２の出射窓１５から出射した光は、液晶表示ユニット３の採光窓１７に入射される。液晶表示ユニット３の採光窓１７に入射された光は、液晶表示ユニット３により、画像に形成される。このため、液晶表示ユニット３の表示面８に表示される画像の輝度は、屋外４２の外光の輝度とともに変化し、たとえば、外光の輝度が大きいときに、画像の輝度も大きくなる。
【００２７】
半屋外４３は、屋外４２の外光の一部が入射するために、屋外４２の外光の輝度が大きいときに、明るくなる。表示装置１の表示面８に表示される画面は、その画面の輝度に比較して表示面８の周囲が明るいときに、見にくくなることがある。表示装置１は、表示面８に表示される画像の輝度が屋外４２の外光の輝度とともに大きくなることにより、外光により半屋外４３が明るい場合に、表示面８に表示される画像の輝度を大きくすることができる。このため、表示装置１は、外光により半屋外４３が明るい場合でも、ユーザに見やすいように、画像を適切に表示面８に表示することができる。
【００２８】
［表示装置の設置方法］
屋根４１は、表示装置１が設置されるときに、まず、所定の位置に貫通孔が形成される。表示装置１は、半屋外４３のうちの所定の位置に表示面８が配置されるように、かつ、屋外４２のうちの所定の位置に外光導入窓１４が配置されるように、屋根４１に形成された貫通孔に導光ブロック部２が挿入される。表示装置１は、半屋外４３のうちの所定の位置に表示面８が配置され、かつ、屋外４２のうちの所定の位置に外光導入窓１４が配置された状態で、導光ブロック支持部４４により導光ブロック部２が屋根４１に固定される。
【００２９】
このような設置方法によれば、表示装置１は、既存の屋根４１に設置されることができる。このような設置方法によれば、表示装置１は、さらに、液晶表示ユニット３を屋根４１に支持する支柱（比較例の表示装置１０１の天吊パイプ１０２）を別途設ける必要がなく、部品点数を低減し、製造コストを低減することができる。
【００３０】
図１０は、比較例の表示装置が設置された状態を示す斜視図である。比較例の表示装置１０１は、図１０に示されているように、実施例１の表示装置１と同様にして、屋根４１に設置されている。表示装置１０１は、天吊パイプ１０２と液晶表示ユニット１０３とを備えている。液晶表示ユニット１０３は、既述の実施例１の表示装置１の液晶表示ユニット３にバックライトが追加されたものである。バックライトは、電力が供給されることにより、導光板３１のうちの偏光板３２の側の反対側の面を照明する。液晶表示ユニット１０３は、バックライトの光を用いて、表示面に表示される画像を形成する。
【００３１】
図１１は、比較例の表示装置が設置された状態を示す他の斜視図である。表示装置１０１は、図１１に示されているように、さらに、天吊パイプ支持部１３２を備えている。天吊パイプ支持部１３２は、棒状に形成されている。天吊パイプ支持部１３２は、天吊パイプ１０２の一端を屋根４１に固定している。
【００３２】
図１２は、比較例の表示装置が設置された状態を示すさらに他の斜視図である。表示装置１０１は、図１２に示されているように、さらに、背面取付金具１０４を備えている。背面取付金具１０４は、天吊パイプ１０２のうちの屋根４１に固定されている一端の反対側の他端に、液晶表示ユニット１０３を固定している。
【００３３】
比較例の表示装置１０１は、半屋外４３が明るいときに、液晶表示ユニット１０３により表示される画像が見にくくなることがある。比較例の表示装置１０１は、半屋外４３が明るいときに、バックライトの出力を上げることにより、画面を見やすくすることができる。比較例の表示装置１０１は、バックライトの出力を上げたときに、消費電力が上昇し、バックライトの発熱量が上昇する。比較例の表示装置１０１は、さらに、液晶表示ユニット１０３を半屋外４３の所定の位置に配置するときに、天吊パイプ１０２を準備する必要がある。
【００３４】
［実施例１の表示装置の効果］
実施例１の表示装置１は、導光ブロック部２と導光ブロック支持部４４と液晶表示ユニット３と表示ユニット支持部１６とを備えている。導光ブロック部２は、屋外４２に配置される外光導入窓１４が形成されている。導光ブロック支持部４４は、導光ブロック部２の一部が半屋外４３に配置されるように、屋外４２と半屋外４３とを隔てる屋根４１に導光ブロック部２を支持している。液晶表示ユニット３は、外光導入窓１４に入射した外光が導光ブロック部２を介して供給されることにより、画面を表示する。表示ユニット支持部１６は、液晶表示ユニット３が半屋外４３に配置されるように、導光ブロック部２に液晶表示ユニット３を支持している。
【００３５】
このような表示装置１は、屋外４２の外光を用いて画面を表示することにより、画面を表示させるために照明する電力を低減することができ、省電力で画面を表示することができる。表示装置１は、屋外４２の外光が強いときに、画面を表示する輝度を大きくすることができ、屋外４２の外光が強い場合でも、ユーザが見やすいように、画面を適切に表示することができる。表示装置１は、さらに、導光ブロック部２を介して液晶表示ユニット３が屋根４１に支持されていることにより、液晶表示ユニット３を屋根４１に支持する支柱（天吊パイプ１０２）を別途設ける必要がなく、部品点数を低減し、製造コストを低減することができる。
【００３６】
［表示装置設置方法の効果］
また、実施形態の表示装置設置方法は、実施例１の表示装置１を設置する方法である。実施形態の表示装置設置方法は、屋根４１に貫通孔を形成すること、導光ブロック部２がその貫通孔に挿入された状態で、導光ブロック支持部４４を用いて導光ブロック部２を屋根４１に固定することを備えている。このような表示装置設置方法によれば、表示装置１は、既存の屋根４１に適切に設置されることができる。
【００３７】
［実施例２の表示装置］
図１３は、実施例２の表示装置が設置された状態を示す斜視図である。実施例２の表示装置５１は、図１３に示されているように、既述の実施例１の表示装置１の導光ブロック部２が他の導光ブロック部５２に置換され、照明灯５３と照明灯支持部５４とを備えている。導光ブロック部５２は、照明光導入窓５５が形成されている。照明光導入窓５５は、背面１２に形成され、斜め上を向いている。照明灯５３は、導光ブロック部５２の背面１２のうちの照明光導入窓５５の上部に配置されている。照明灯５３は、電力が供給されることにより発光し、発光することにより半屋外４３のうちの表示装置５１の周辺を照明する。照明灯支持部５４は、照明灯５３を導光ブロック部５２に固定している。
【００３８】
図１４は、実施例２の表示装置が設置された状態を示す他の斜視図である。照明灯５３は、図１４に示されているように、さらに、導光ブロック部５２の横方向の幅より小さく形成され、導光ブロック部５２の横からはみ出ないように、配置されている。このため、照明灯５３は、導光ブロック部５２の影になって、液晶表示ユニット３の表示面８を見るユーザから見えないように、配置されている。実施例２の表示装置５１は、液晶表示ユニット３の表示面８を見るユーザに照明灯５３が見えないようになっていることにより、表示面８を見やすくし、表示面８に画面を適切に表示することができる。
【００３９】
［実施例２の表示装置の効果］
実施例２の表示装置５１の導光ブロック部２は、半屋外４３に配置される照明光導入窓５５が形成され、照明光導入窓５５に入射された光をさらに液晶表示ユニット３に導く。このような表示装置５１は、外光の照度が小さい場合でも、照明光を用いて、画面を適切に表示することができる。
【００４０】
また、実施例２の表示装置５１は、半屋外４３を照明する照明灯５３と、照明灯５３を導光ブロック部２に支持する第３支持部をさらに備えている。照明灯５３は、照明灯５３が発光する照明光の一部が照明光導入窓５５に入射するように、配置されている。このような表示装置５１は、照明灯５３が導光ブロック部５２に支持されることにより、導光ブロック部２が移動した場合でも、照明光の一部が照明光導入窓５５に適切に入射するように、照明灯５３を適切な位置に配置させることができる。このような表示装置５１は、照明灯５３が導光ブロック部２に対して固定されていることにより、照明光が液晶表示ユニット３に適切に導かれ、画面を適切に表示することができる。
【００４１】
また、実施例２の表示装置５１の照明灯５３は、導光ブロック部２のうちの表示面８が表示している方向の反対側に配置されている。このような表示装置５１は、照明灯５３が導光ブロック部２の裏側に配置されていることにより、画面を見るユーザに照明光が当たらないようにすることができる。表示装置５１は、画面を見るユーザに照明光が当たらないようにすることにより、画面を見やすくすることができる。
【００４２】
［実施例３の表示装置］
図１５は、実施例３の表示装置が設置された状態を示す斜視図である。実施例３の表示装置は、図１５に示されているように、既述の実施例１の表示装置１にさらに反射材６１が設けられている。反射材６１は、屈曲した板に形成され、可視光を反射する反射面６２が、凹んでいる方の面に形成されている。反射材６１は、反射面６２を反射した外光が導光ブロック部２の外光導入窓１４に入射するように、屋外４２に配置され、屋根４１に固定されている。
【００４３】
［実施例３の表示装置の効果］
実施例３の表示装置は、外光が外光導入窓１４に入射されるように、外光を反射させる反射材６１をさらに備えている。このような表示装置は、反射材６１を備えることにより、導光ブロック部２の外光導入窓１４が太陽に向いていない場合でも、外光導入窓１４に日光が適切に照射される。このような表示装置は、太陽が移動した場合でも外光導入窓１４に日光が適切に照射されることにより、外光を液晶表示ユニット３に適切に導くことができ、画面を見やすく表示することができる。
【００４４】
なお、反射材６１は、既述の実施例１の表示装置１に設けられているが、既述の実施例２の表示装置５１に設けられてもよい。この場合も、表示装置５１は、太陽が移動した場合でも外光導入窓１４に日光が適切に照射されることにより、外光を液晶表示ユニット３に適切に導くことができ、画面を見やすく表示することができる。
【００４５】
なお、既述の実施例の表示装置は、液晶表示ユニット３が半屋外４３に配置されているが、外光が全く入らない他の領域に配置されてもよい。その領域としては、室内、地下鉄のホームが例示される。このような領域に液晶表示ユニット３が配置される表示装置も、既述の実施例の表示装置と同様にして、外光を用いて画面を表示することにより、消費電力を低減することができる。このような表示装置は、さらに、導光ブロック部２、５２を介して、その領域に支持されることにより、部品点数を低減し、製造コストを低減することができる。
【００４６】
なお、既述の表示装置１、５１は、導光ブロック部２、５２が屋根４１を貫通するように配置されているが、屋根４１と異なる仕切り部を貫通するように配置されてもよい。その仕切り部としては、建物の外壁が例示される。導光ブロック部２、５２が仕切り部を貫通するように配置される表示装置も、既述の実施例の表示装置１、５１と同様にして、仕切り部を介して隔てられた領域の光を用いて画面を表示することにより、消費電力を低減することができる。このような表示装置は、さらに、導光ブロック部２、５２を介して、液晶表示ユニット３が仕切り部に支持されることにより、部品点数を低減し、製造コストを低減することができる。
【符号の説明】
【００４７】
１  ：表示装置
２  ：導光ブロック部
３  ：液晶表示ユニット
８  ：表示面
１４：外光導入窓
１５：出射窓
１６：表示ユニット支持部
４１：屋根
４２：屋外
４３：半屋外
４４：導光ブロック支持部
５１：表示装置
５２：導光ブロック部
５３：照明灯
５４：照明灯支持部
５５：照明光導入窓
６１：反射材
【図１】
2018054808.tif 000003
【図２】
2018054808.tif 000004
【図３】
2018054808.tif 000005
【図４】
2018054808.tif 000006
【図５】
2018054808.tif 000007
【図６】
2018054808.tif 000008
【図７】
2018054808.tif 000009
【図８】
2018054808.tif 000010
【図９】
2018054808.tif 000011
【図１０】
2018054808.tif 000012
【図１１】
2018054808.tif 000013
【図１２】
2018054808.tif 000014
【図１３】
2018054808.tif 000015
【図１４】
2018054808.tif 000016
【図１５】
2018054808.tif 000017